(57)【要約】【課題】  排泄物が使用者自身の身体に大量に付着してしまう不具合を解消又は大幅に低減するとともに、快適性とコストダウンの両立を実現する。【解決手段】  不織布Ｃを用いたシート材Ｓｃの左右方向Ｆｗにおける複数の位置に対して、前後方向Ｆｓに沿ってゴム糸３を縫い付けた複数の縫付部Ｊ１…を設けるとともに、左右方向Ｆｗ中央位置Ｘｃにおける前後方向Ｆｓにスリット４を形成してなるシート本体部２と、このシート本体部２の肌接触面２ｓの裏面となる非接触面２ｎにおける前端辺２ｎｆ及び後端辺２ｎｒの近傍に、当該前端辺２ｎｆ及び後端辺２ｎｒに沿って設けた所定幅の前接着部５及び後接着部５ｒとを備え、複数の縫付部Ｊ１…には、スリット４の左右両側近傍に配した縫付部Ｊ１，Ｊ２と、シート本体部２の左右端辺２ｐ，２ｑ近傍に設けた弾発力の大きい外縫付部ＪＰ，ＪＱとを含ませる。【選択図】  図１
2015231424.tif 000002
【特許請求の範囲】
【請求項１】
使用者の少なくとも尻部を覆う介護おむつの内面に貼付けて使用する介護おむつ用補助シートであって、不織布を用いたシート材の左右方向における複数の位置に対して、前後方向に沿ってゴム糸を縫い付けてなる複数の縫付部を設けることにより、前記シート材が前後方向に伸縮できるように全体をギャザー状かつ全体を矩形状に形成するとともに、左右方向中央位置における前後方向にスリットを形成してなるシート本体部と、このシート本体部の肌接触面の裏面となる非接触面における前端辺の近傍に、当該前端辺に沿って設けた所定幅の前接着部と、当該非接触面における後端辺の近傍に、当該後端辺に沿って設けた所定幅の後接着部とを備え、前記複数の縫付部には、少なくとも前記スリットの左右両側近傍にそれぞれ配した左右一対の内縫付部と、前記シート本体部の左右端辺近傍にそれぞれ設け、かつ他の位置の縫付部に対して相対的に弾発力を大きく設定した左右一対の外縫付部とを含ませてなることを特徴とする介護おむつ用補助シート。
【請求項２】
前記シート材は、一枚又は複数枚を重ね合わせて用いることを特徴とする請求項１記載の介護おむつ用補助シート。
【請求項３】
前記縫付部には、前記シート本体部における前記非接触面に配した前記ゴム糸と、このゴム糸を前記シート本体部に縫い付ける天然繊維糸とを用いることを特徴とする請求項１又は２記載の介護おむつ用補助シート。
【請求項４】
前記外縫付部は、前記複数の縫付部の間隔を狭くすることにより弾発力を大きく設定することを特徴とする請求項１，２又は３記載の介護おむつ用補助シート。
【請求項５】
前記スリットは、排泄物が通過可能な長さを選定するとともに、前記スリットの前後方向中央位置は、前記シート本体部の前後方向中央位置よりも前方向の位置を選定してなることを特徴とする請求項１〜４のいずれかに記載の介護おむつ用補助シート。
【発明の詳細な説明】
【技術分野】
【０００１】
本発明は、使用者の少なくとも尻部を覆う介護おむつの内側に貼付けて使用する介護おむつ用補助シートに関する。
【背景技術】
【０００２】
従来、使用者（被介護者）の介護等に用いる使い捨ての介護おむつは広く知られているが、このような介護おむつは、使用者の排泄物が使用者自身の身体にも大量に付着してしまうため、介護者はおむつ交換する際に、身体に付着した排泄物を拭き取る作業が必要になる。このように、介護者にとってはできるだけ避けたい作業が強いられることになり、この作業に伴う介護者の労力や時間の浪費、更には、排泄物の付着に伴う使用者における肉体的及び精神的な不快感も無視できない。しかも、使用者の身体に付着した排泄物を拭き取る際にはペーパーやタオル等を必要とするため、この際に使用するペーパー或いはタオルを濯ぐ水等の無駄な消費を招く問題があるとともに、特に、このような作業は毎日繰り返し行われることから、ペーパーや水等の頻繁な消費は資源の節減、更には経済的な面からも不利になる問題があった。
【０００３】
一方、この問題を解決するためのおむつ用の各種補助シート（補助具，インナシート部）も提案されており、特許文献１には、使用者の少なくとも尻部を覆うおむつ本体の内側に重ねて使用するおむつ用補助具であって、おむつ本体の内側或いは使用者の腰部に固定する帯状部と、この帯状部から延出し、使用者に装着した際に尻部を覆うとともに、使用者の肛門部に対応する位置に形成した排泄物が通過可能な開孔部を有するカバー部と、このカバー部から延出し、使用者の股下を通すことにより使用者の腹部に位置する帯状部に固定可能な少なくとも一つのバンド部とを、シート部材により一体に形成したおむつ用補助具が開示され、また、特許文献２には、使用者に装着した際に尻部を覆うとともに、使用者の肛門部に対応する位置に形成した排泄物が通過可能な開孔部を設けたカバー部であって、このカバー部を、少なくとも型崩れしない又は型崩れしにくい紙素材を使用し、かつ尻部の少なくとも一部の形状に沿った型により成形した成形体として形成したおむつ用補助具が開示され、さらに、特許文献３には、左シート部と右シート部を有し、かつ左シート部と右シート部間に、隙間をゼロにした前後方向のスリットを設け、スリット部の両側に位置する各内端辺部にゴム素材を含ませることによりそれぞれ前後方向に伸縮可能な弾性伸縮部として形成するとともに、この弾性伸縮部以外の部位をそれぞれギャザー部として形成し、左シート部と右シート部における少なくとも前端辺部と後端辺部を、それぞれおむつ本体部の内面に対して後付け可能又は固着可能に構成してなる全体を紙素材により形成したインナシート部が開示されている。
【先行技術文献】
【特許文献】
【０００４】
【特許文献１】特開２０１０−２６４０８４号公報
【特許文献２】特開２０１２−０２４１７６号公報
【特許文献３】特許第５２２５３３９号公報
【発明の概要】
【発明が解決しようとする課題】
【０００５】
しかし、上述した従来の補助シート（おむつ用補助具，インナシート部）は、次のような解決すべき課題も残されていた。
【０００６】
第一に、従来の補助具を付設したおむつであっても、寝た状態の使用者に対して使用するため、おむつの装着状態及び排泄物の質や量等によって身体への付着を回避することは容易でなく、現実には少なからず付着が発生する。したがって、身体への付着量を如何に少なくするかが重要な技術的課題となるが、従来のおむつやその補助具は、付着量を如何に少なくするの観点からのアプローチ（改良）に関しては必ずしも十分であるとは言えず、更なる改善の余地があった。
【０００７】
第二に、この種のおむつや補助具は毎日使用するため、使用者の経済的負担を少なくする観点からは製造面のコストダウンを図ることも重要な課題となり、できるだけ構造及び製造工程をシンプル化することが望ましい。一方、使用者は寝た状態で長時間使用するため、おむつや補助具を装着した際における使用者の快適性も無視できない重要な課題となる。しかし、この種の補助具（補助シート）の場合、コストダウンを図るには装着快適性が犠牲になり、他方、装着快適性を高めるためにはコストアップを招くなど、装着快適性とコストダウンの双方を両立させることは容易でない難点があった。
【０００８】
本発明は、このような背景技術に存在する課題を解決した介護おむつ用補助シートの提供を目的とするものである。
【課題を解決するための手段】
【０００９】
本発明は、上述した課題を解決するため、使用者Ｈの少なくとも尻部Ｈｈを覆う介護おむつ２０の内面２０ｉに貼付けて使用する介護おむつ用補助シート１を構成するに際して、不織布Ｃを用いたシート材Ｓｃの左右方向Ｆｗにおける複数の位置に対して、前後方向Ｆｓに沿ってゴム糸３を縫い付けてなる複数の縫付部Ｊ１，Ｊ２，Ｊ３…を設けることにより、シート材Ｓｃが前後方向Ｆｓに伸縮できるように全体をギャザー状かつ全体を矩形状に形成するとともに、左右方向Ｆｗ中央位置Ｘｃにおける前後方向Ｆｓにスリット４を形成してなるシート本体部２と、このシート本体部２の肌接触面２ｓの裏面となる非接触面２ｎにおける前端辺２ｎｆの近傍に、当該前端辺２ｎｆに沿って設けた所定幅Ｌｃの前接着部５ｆと、当該非接触面２ｎにおける後端辺２ｎｒの近傍に、当該後端辺２ｎｒに沿って設けた所定幅Ｌｃの後接着部５ｒとを備え、複数の縫付部Ｊ１，Ｊ２，Ｊ３…には、少なくともスリット４の左右両側近傍にそれぞれ配した左右一対の内縫付部Ｊ１，Ｊ２と、シート本体部２の左右端辺２ｐ，２ｑ近傍にそれぞれ設け、かつ他の位置の縫付部Ｊ７…に対して相対的に弾発力を大きく設定した左右一対の外縫付部ＪＰ，ＪＱとを含ませてなることを特徴とする。
【００１０】
この場合、発明の好適な態様により、シート材Ｓｃは、一枚又は複数枚を重ね合わせて用いることができる。また、縫付部Ｊ１，Ｊ２…には、シート本体部２における非接触面２ｎに配したゴム糸３…と、このゴム糸３…をシート本体部２に縫い付ける天然繊維糸１１…とを用いることができる。さらに、外縫付部ＪＰ…は、複数の縫付部Ｊ３，Ｊ４…の間隔Ｌｐ…を狭くすることにより弾発力を大きく設定することができる。一方、スリット４は、排泄物Ｅが通過可能な長さＬｓを選定するとともに、スリット４の前後方向中央位置は、シート本体部２の前後方向中央位置よりも前方向Ｆｆの位置Ｘｓを選定することができる。
【発明の効果】
【００１１】
このような構成を有する本発明に係る介護おむつ用補助シート１によれば、次のような顕著な効果を奏する。
【００１２】
（１）  要部の構成として、シート本体部２の肌接触面２ｓの裏面となる非接触面２ｎにおける前端辺２ｎｆの近傍に、当該前端辺２ｎｆに沿って設けた所定幅Ｌｃの前接着部５ｆと、当該非接触面２ｎにおける後端辺２ｎｒの近傍に、当該後端辺２ｎｒに沿って設けた所定幅Ｌｃの後接着部５ｒとを備え、複数の縫付部Ｊ１，Ｊ２，Ｊ３…には、少なくともスリット４の左右両側近傍にそれぞれ配した左右一対の内縫付部Ｊ１，Ｊ２と、シート本体部２の左右端辺２ｐ，２ｑ近傍にそれぞれ設け、かつ他の位置の縫付部Ｊ７…に対して相対的に弾発力を大きく設定した左右一対の外縫付部ＪＰ，ＪＱとを含ませてなるため、一般的な介護おむつ２０を使用する場合であっても、当該介護おむつ２０を使用しつつ、排泄物Ｅが使用者Ｈ自身の身体に付着する不具合を解消又は大幅に低減できる。
【００１３】
（２）  補助シート１は、不織布Ｃを用いたシート材Ｓｃの左右方向Ｆｗにおける複数の位置に対して、前後方向Ｆｓに沿ってゴム糸３を縫い付けてなる複数の縫付部Ｊ１，Ｊ２，Ｊ３…を設けることにより、シート材Ｓｃが前後方向Ｆｓに伸縮できるように全体をギャザー状かつ全体を矩形状に形成するとともに、左右方向Ｆｗ中央位置Ｘｃにおける前後方向Ｆｓにスリット４を形成してなるシート本体部２を、主要部の構成とするため、構造のシンプル化及び製造工程のシンプル化を実現できるとともに、全体を簡易なギャザー状としたことによる装着時の快適性を確保できるなど、装着快適性とコストダウンの双方を両立させることができる。
【００１４】
（３）  好適な態様により、シート材Ｓｃは、一枚又は複数枚を重ね合わせて用いることができる。このように、使用するシート材Ｓｃ…の枚数は任意に選択できるため、装着快適性の度合とコストダウンの度合を容易に調整でき、もって、商品グレードの多様化も容易に実現できる。
【００１５】
（４）  好適な態様により、縫付部Ｊ１，Ｊ２，Ｊ３…に、シート本体部２における非接触面２ｎに配したゴム糸３…と、このゴム糸３…をシート本体部２に縫い付ける天然繊維糸１１…とを用いれば、必要な伸縮性を確保しつつ、ゴム糸３…が使用者Ｈの肌に直接当たる不具合を回避できる。
【００１６】
（５）  好適な態様により、外縫付部ＪＰ…を設けるに際し、複数の縫付部Ｊ３，Ｊ４…の間隔Ｌｐ…を狭くすることにより弾発力を大きく設定すれば、共通形式による縫付部Ｊ１…を設ける場合であっても、各縫付部（Ｊ３…）の位置及び間隔を選定することにより使用者Ｈの肌に対する圧接力（密着力）を設定できるため、外縫付部ＪＰ…からの排泄物Ｅの漏れを容易かつ有効に阻止できる。
【００１７】
（６）  好適な態様により、スリット４を形成するに際し、排泄物Ｅが通過可能な長さＬｓを選定するとともに、スリット４の前後方向中央位置は、シート本体部２の前後方向中央位置よりも前方向Ｆｆの位置Ｘｓを選定すれば、排泄物Ｅの通過を許容する第一の機能と後戻りを阻止する第二の機能を有するスリット４を実現できるとともに、特に、左右一対の内縫付部Ｊ１，Ｊ２と組合わせることにより、第一の機能と第二の機能の双方を実現する際の最適化も容易に行うことができる。
【図面の簡単な説明】
【００１８】
【図１】本発明の好適実施形態に係る介護おむつ用補助シートの一部抽出拡大図を含む正面図、
【図２】同介護おむつ用補助シートにおける縫付部の一部断面拡大側面図、
【図３】同介護おむつ用補助シートの各部における寸法説明図、
【図４】同介護おむつ用補助シートを介護おむつに貼り付ける前の状態を示す使用説明図、
【図５】同介護おむつ用補助シートを介護おむつに貼り付けた後の状態を示す使用説明図、
【図６】同介護おむつ用補助シートの使用時における側面断面を示す作用（機能）説明図、
【図７】同介護おむつ用補助シートの使用時における正面断面を示す作用（機能）説明図、
【発明を実施するための形態】
【００１９】
次に、本発明に係る好適実施形態を挙げ、図面に基づき詳細に説明する。
【００２０】
まず、本実施形態に係る介護おむつ用補助シート１の構成及び製造方法について、図１〜図３を参照して説明する。
【００２１】
図１は、介護おむつ用補助シート１の全体構成を示すとともに、使用者Ｈの肌に接触する面、即ち、肌接触面２ｓの裏面となる非接触面２ｎを示す。したがって、図１に示す非接触面２ｎは、後述する介護おむつ２０の内面２０ｉに貼り付ける面となる。補助シート１は、基本的な構成として、全体が矩形状をなすシート本体部２と、このシート本体部２における非接触面２ｎの前端辺２ｎｆの近傍に設けた前接着部５ｆと、同非接触面２ｎの後端辺２ｎｒの近傍に設けた後接着部５ｒと、を備える。
【００２２】
シート本体部２は、不織布Ｃを用いたシート材Ｓｃの左右方向Ｆｗにおける複数の位置に対して、前後方向Ｆｓに沿ってゴム糸３を縫い付けた複数の縫付部Ｊ１，Ｊ２，Ｊ３，…Ｊ９，Ｊ１０を設けることにより、シート材Ｓｃが前後方向Ｆｓに伸縮できるように全体をギャザー状に製作する。シート材Ｓｃに用いる不織布Ｃの種類としては、特に、特定の素材に限定するものではないが、低コスト性に優れ、かつ肌触り性の良好な不織布が望ましい。一例としては、レンゴー・ノンウーブン・プロダクツ株式会社製のサーマルボンド不織布（商品名）を用いることができる。この不織布は、原綿として、プラスチック短繊維をノーバインダーかつ熱融着により不織布に加工したものであり、衛生的かつ柔軟性に優れている。
【００２３】
また、本実施形態におけるシート本体部２は、図２に示すように、二枚のシート材Ｓｃ，Ｓｃを、重ね合わせて使用する。この場合、使用するシート材Ｓｃ…の枚数は任意である。例示のように、二枚のシート材Ｓｃ…を使用することが、装着快適性とコストダウンの双方を両立させる観点からは最も望ましい実施形態となるが、その他、一枚であってもよいし、必要に応じて三枚以上であってもよい。このように、使用するシート材Ｓｃ…の枚数は任意に選択できるため、装着快適性の度合とコストダウンの度合を容易に調整でき、もって、商品グレードの多様化も容易に実現できる利点がある。
【００２４】
一方、縫付部Ｊ１には、シート本体部２における非接触面２ｎに配したゴム糸３と、このゴム糸３をシート本体部２に縫い付ける木綿糸等の天然繊維糸１１とを用いる。したがって、縫い付けを行う際には、ゴム糸３又は天然繊維糸１１の一方を上糸とし、他方を下糸としてミシン等の縫付機にセットする。そして、重ね合わせた二枚のシート材Ｓｃ，Ｓｃにおける左右方向Ｆｗにおける予め設定した位置に対して、前後方向Ｆｓに沿って縫い付けを行う。この際、二枚のシート材Ｓｃ，Ｓｃは、前後方向に弛ませた状態にする。これにより、図１及び図２に示すように、シート本体部２（シート材Ｓｃ…）における非接触面２ｎにゴム糸３が配され、かつ肌接触面２ｓには天然繊維糸１１が露出する。なお、例示の場合、図３に示すように、十本の縫付部Ｊ１…Ｊ１０をそれぞれ予め設定した位置に設けるため、他の縫付部Ｊ２…Ｊ１０も上述した縫付部Ｊ１と同様に設けることができる。このように、縫付部Ｊ１，Ｊ２，Ｊ３…に、シート本体部２における非接触面２ｎに配したゴム糸３…と、このゴム糸３…をシート本体部２に縫い付ける天然繊維糸１１…とを用いれば、必要な伸縮性を確保しつつ、ゴム糸３…が使用者Ｈの肌に直接当たる不具合を回避できる利点がある。
【００２５】
シート材Ｓｃ…上における各縫付部Ｊ１…Ｊ１０の位置は予め設定し、設定した位置に各縫付部Ｊ１…Ｊ１０を設ける。例示の場合、図１及び図３に示すように、各縫付部Ｊ１…Ｊ１０を設けた後に、シート本体部２の左右方向Ｆｗにおける中央位置に、前後方向Ｆｓに沿ったスリット４を形成するため、シート本体部２の左右方向Ｆｗにおける中央位置には、左右一対の内縫付部Ｊ１とＪ２による縫付部位ＪＭを設ける。これにより、スリット４の左側近傍の位置に一方の内縫付部Ｊ１が配され、かつスリット４の右側近傍の位置に他方の内縫付部Ｊ２が配される。
【００２６】
また、シート本体部２（シート材Ｓｃ…）の左端辺２ｐ近傍に、他の位置の縫付部Ｊ７…に対して相対的に弾発力を大きく設定した外縫付部ＪＰを設け、かつシート本体部２における右端辺２ｑ近傍に、他の位置の縫付部Ｊ９…に対して相対的に弾発力を大きく設定した外縫付部ＪＱを設ける。この場合、外縫付部ＪＰは、複数（例示は二本）の縫付部Ｊ３とＪ４により構成し、この縫付部Ｊ３とＪ４の間隔Ｌｐを狭くすることにより弾発力を大きく設定するとともに、他方の外縫付部ＪＱも同様に、複数（例示は二本）の縫付部Ｊ５とＪ６により構成し、この縫付部Ｊ５とＪ６の間隔（Ｌｐ）を狭くすることにより弾発力を大きく設定する。このように設定すれば、共通形式による縫付部Ｊ１…を設ける場合であっても、各縫付部（Ｊ３…）の位置及び間隔を選定することにより使用者Ｈの肌に対する圧接力（密着力）を設定できるため、外縫付部ＪＰ…からの排泄物Ｅの漏れを容易かつ有効に阻止できる利点がある。したがって、例示の場合、外縫付部ＪＰと内縫付部Ｊ１間には縫付部Ｊ７，Ｊ８を設けるが、外縫付部ＪＰと縫付部Ｊ７の間隔、縫付部Ｊ７とＪ８の間隔，縫付部Ｊ８とＪ１の間隔は、いずれも外縫付部ＪＰを構成する縫付部Ｊ３とＪ４の間隔Ｌｐよりも広くなる。同様に、外縫付部ＪＱと内縫付部Ｊ２間には、縫付部Ｊ９，Ｊ１０を設けるが、外縫付部ＪＱと縫付部Ｊ１０の間隔、縫付部Ｊ１０とＪ９の間隔，縫付部Ｊ９とＪ２の間隔は、いずれも外縫付部ＪＱを構成する縫付部Ｊ５とＪ６の間隔（Ｌｐ）よりも広くなる。
【００２７】
縫付部Ｊ１…Ｊ１０を設けたなら、シート材Ｓｃ，Ｓｃを、例えば一対の平坦板の間に挟んで面直角方向に加圧する。これにより、シート材Ｓｃ，Ｓｃの弛んだ部分は押し潰され、図２に示すように、多数の個所が部分的に潰れた状態となり、全体がギャザー状に形成される。即ち、シート材Ｓｃ…（シート本体部２）は、ゴム糸３…により前後方向Ｆｓに弾性伸縮可能になるとともに、シート材Ｓｃ…は伸縮に追従可能になる。この際、伸張時の長さは、伸張前（引張る前）の長さに対して、概ね１．５倍程度伸張できるように設定することが望ましい。
【００２８】
以上の工程が終了したなら、図１及び図３に示すように、シート本体部２の左右方向Ｆｗにおける中央位置に、前後方向Ｆｓに沿ったスリット４を形成する。スリット４を形成するに際しては、所定のカッター等を用いて単純に切込み形成すれば足りる。また、スリット４は、排泄物Ｅが通過可能な長さＬｓを選定するとともに、スリット４の前後方向中央位置は、シート本体部２の前後方向中央位置よりも前方向Ｆｆの位置Ｘｓを選定する。このように選定すれば、排泄物Ｅの通過を許容する第一の機能と後戻りを阻止する第二の機能を有するスリット４を実現できるとともに、特に、左右一対の内縫付部Ｊ１，Ｊ２と組合わせることにより、第一の機能と第二の機能の双方を実現する際の最適化も容易に行える利点がある。具体的には、縫付部位ＪＭ内にスリット４が形成されるため、スリット４の左側近傍に内縫付部Ｊ１が位置するとともに、スリット４の右側近傍に内縫付部Ｊ２が位置し、シート本体部２を前後方向Ｆｓに伸張させた状態では、スリット４の両側に設けた内縫付部Ｊ１とＪ２の伸張により、スリット４は隙間なく閉じた状態となる。以上により、シート本体部２を得ることができる。
【００２９】
なお、シート本体２における好適なディメンションの一例を図３に示す。左右方向Ｆｗの幅寸法Ｌｗは、概ね２０〔ｃｍ〕程度を選定できる。また、幅寸法Ｌｗは変更することなしに、前後方向Ｆｓの長さ寸法Ｌｍをサイズにより変更する。即ち、Ｍサイズの場合は、概ね３５〔ｃｍ〕程度に選定し、ＳサイズやＬサイズは、Ｍサイズを基準にしてサイズ変更する。さらに、スリット４の長さＬｓは概ね７〜８〔ｃｍ〕程度を選定するとともに、シート本体２における前端辺２ｎｆとスリット４の間隔Ｌｆは、２〜３〔ｃｍ〕程度に選定する。
【００３０】
他方、シート本体２には、前接着部５ｆと後接着部５ｒを設ける。具体的には、シート本体部２における使用者の肌に接触する肌接触面２ｓ（ゴム糸３…が存在しない面）の裏面となる非接触面２ｎであって、この非接触面２ｎにおける前端辺２ｎｆの近傍に、当該前端辺２ｎｆに沿った所定幅Ｌｃの前接着部５ｆを設けるとともに、当該非接触面２ｎにおける後端辺２ｎｒの近傍に、当該後端辺２ｎｒに沿った所定幅Ｌｃの後接着部５ｒを設ける。前接着部５ｆと後接着部５ｒには、例えば、所定幅Ｌｃが１０〜２０〔ｍｍ〕程度の両面接着テープを用いることができる。したがって、使用するまでは、各前接着部５ｆと後接着部５ｒには、それぞれ剥離紙を貼り付けた状態にする。
【００３１】
次に、本実施形態に係る介護おむつ用補助シート１の使用方法及び機能（作用）について、図４〜図７を参照して説明する。
【００３２】
本実施形態に係る補助シート１は、図４に示すように、市販されている一般的な介護おむつ２０（大人用）と組合わせて使用する。したがって、一例として示す介護おむつ２０は、使用者（被介護者）の身体の前側（腹側）を覆う広幅となる前身頃部２０ｆと、身体の股下を覆う稍狭幅となる股下部２０ｄと、身体の後側（背中側）を覆う広幅となる後身頃部２０ｒにより全体が構成され、股下部２０ｄの内部には図に現れない吸収体を備える。また、股下部２０ｄの左右両側には弾性伸縮部を含むギャザー部２２ｐ，２２ｑを有するとともに、前身頃部２０ｆの前端縁には弾性伸縮部２２ｆを有し、かつ後身頃部２０ｒの後端縁には弾性伸縮部２２ｒを有する。さらに、後身頃部２０ｒの左右両端には、この後身頃部２０ｒの両端を前身頃部２０ｆの両端にそれぞれ固定するための計四個所に配した接着テープ等を用いた止着テープ２１…を有する。この場合、止着テープ２１…は剥離紙により覆われている。
【００３３】
そして、補助シート１を使用する際には、まず、図４に示すように、一つの介護おむつ２０と一枚の補助シート１を用意する。そして、介護おむつ２０の内面２０ｉを上に向けて広げ、当該内面２０ｉにおける所定位置Ｘｊ（図４）に補助シート１を固定する。この場合、補助シート１は、前接着部５ｆと後接着部５ｒにそれぞれ剥離紙が貼り付けられているため、各剥離紙を取り除いた後、前接着部５ｆと後接着部５ｒを介護おむつ２０の内面２０ｉに貼り付けて固定する。貼り付ける位置（所定位置Ｘｊ）は、内面２０ｉにおける左右方向Ｆｗの中央位置であって、前後方向Ｆｓの中央位置に対してやや後側となる位置が望ましい。なお、貼り付ける所定位置Ｘｊは、使用者Ｈの体型や身長等により個人差があるため、予め、介護おむつ２０を使用者Ｈに装着した際に、スリット４の位置が使用者Ｈの肛門部の真下に位置するように貼付位置を決めておくことが望ましい。
【００３４】
特に、前接着部５ｆと後接着部５ｒは、補助シート１を固定するシート固定機能を備えることに加え、固定した後は、それぞれ前方と後方に対する排泄物の漏れ防止機能を兼ねるため、前接着部５ｆと後接着部５ｒの各全面が介護おむつ２０の内面２０ｉに密着（接着）するように留意する。これにより、補助シート１と介護おむつ２０の内面２０ｉ間の空間Ａ（図７参照）は、前後方向が前接着部５ｆと後接着部５ｒにより遮断され、左右方向が外縫付部ＪＰとＪＱにより遮断される。
【００３５】
以上により、介護おむつ２０に対する補助シート１の取り付けが終了するため、後は、通常の介護おむつと同様に使用することができる。即ち、補助シート１を貼り付けた介護おむつ２０（以下、介護おむつユニット３０）を、布団やベッド等の上に寝た状態の使用者（被介護者）Ｈのお尻Ｈｈの下に敷き、前身頃部２０ｆを使用者Ｈの股下を通して前側の腹部に至らせる。そして、背中側に位置する後身頃部２０ｒに設けた各止着テープ２１…から剥離紙を離脱し、腹部に載せた前身頃部２０ｆに貼付けて結合すればよい。図６及び図７に、使用者Ｈに介護おむつユニット３０を装着した状態を模式図により示す。装着した状態においては、補助シート１の縫付部Ｊ１…Ｊ１０は伸張した状態となり、比較的薄い補助シート１は内面が使用者Ｈの肌面に圧接する。この状態の断面が図６となる。
【００３６】
他方、介護おむつユニット３０を装着した使用者Ｈが排便した場合を想定する。この場合、使用者Ｈからの排泄物Ｅは、その重さにより、補助シート１のスリット４を通過し、図７に示すように、補助シート１と介護おむつ２０の内面２０ｉ間の空間Ａに収容される。この際、排泄物Ｅが柔らかかったり、使用者Ｈが動くなどにより、排泄物Ｅが移動した場合であっても、前後方向への移動は、前接着部５ｆと後接着部５ｒにより阻止される。また、左右方向への移動は、補助シート１における相対的に弾発力の大きい外縫付部ＪＰ，ＪＱにより阻止される。さらに、補助シート１におけるスリット４の左右両側近傍にそれぞれ配した内縫付部Ｊ１とＪ２の伸張により、スリット４は閉じた状態となるため、排泄物Ｅの後戻りが阻止される。このように、空間Ａに収容された排泄物Ｅは、安定した状態で補助シート１内に保持される。
【００３７】
よって、このような本実施形態に係る介護おむつ用補助シート１によれば、要部の構成として、シート本体部２の肌接触面２ｓの裏面となる非接触面２ｎにおける前端辺２ｎｆの近傍に、当該前端辺２ｎｆに沿って設けた所定幅Ｌｃの前接着部５ｆと、当該非接触面２ｎにおける後端辺２ｎｒの近傍に、当該後端辺２ｎｒに沿って設けた所定幅Ｌｃの後接着部５ｒとを備え、複数の縫付部Ｊ１，Ｊ２，Ｊ３…には、少なくともスリット４の左右両側近傍にそれぞれ配した左右一対の内縫付部Ｊ１，Ｊ２と、シート本体部２の左右端辺２ｐ，２ｑ近傍にそれぞれ設け、かつ他の位置の縫付部Ｊ７…に対して相対的に弾発力を大きく設定した左右一対の外縫付部ＪＰ，ＪＱとを含ませてなるため、一般的な介護おむつ２０を使用する場合であっても、当該介護おむつ２０を使用しつつ、排泄物Ｅが使用者Ｈ自身の身体に付着する不具合を解消又は大幅に低減できる。
【００３８】
また、補助シート１は、不織布Ｃを用いたシート材Ｓｃの左右方向Ｆｗにおける複数の位置に対して、前後方向Ｆｓに沿ってゴム糸３を縫い付けてなる複数の縫付部Ｊ１，Ｊ２，Ｊ３…を設けることにより、シート材Ｓｃが前後方向Ｆｓに伸縮できるように全体をギャザー状かつ全体を矩形状に形成するとともに、左右方向Ｆｗ中央位置Ｘｃにおける前後方向Ｆｓにスリット４を形成してなるシート本体部２を、主要部の構成とするため、構造のシンプル化及び製造工程のシンプル化を実現できるとともに、全体を簡易なギャザー状としたことによる装着時の快適性を確保できるなど、装着快適性とコストダウンの双方を両立させることができる。
【００３９】
以上、好適実施形態について詳細に説明したが、本発明は、このような実施形態に限定されるものではなく、細部の構成，形状，素材，数量，手法等において、本発明の要旨を逸脱しない範囲で、任意に変更，追加，削除することができる。
【００４０】
例えば、シート材Ｓｃは、一枚又は複数枚用いることができるが、一枚（又は複数枚）のシート材Ｓｃ…に他の素材（一般紙）により形成したシート部材を組み合わせる態様を排除するものではない。また、ゴム糸３…をシート本体部２に縫い付ける糸として、天然繊維糸１１…が望ましいが、化学繊維糸の使用を排除するものではない。一方、外縫付部ＪＰ…は、複数の縫付部Ｊ３，Ｊ４…の間隔Ｌｐ…を狭くすることにより弾発力を大きく設定する場合を示したが、他の位置のゴム糸３に対して相対的に太いゴム糸３を使用することにより弾発力を大きく設定してもよい。さらに、外縫付部ＪＰ，ＪＱの弾発力を大きく設定した場合を示したが、内縫付部Ｊ１，Ｊ２の弾発力も必要により大きく設定してもよい。他方、スリット４は、排泄物Ｅが通過可能な長さＬｓを選定するとともに、スリット４の前後方向中央位置は、シート本体部２の前後方向中央位置よりも前方向Ｆｆの位置Ｘｓを選定する場合を示したが、他の形態を排除するものではない。
【産業上の利用可能性】
【００４１】
本発明に係る介護おむつ用補助シートは、使い捨ての介護おむつと組合わせて利用できる。なお、介護おむつには、介護パンツ等の同様の目的で使用されるものも全て含む概念である。
【符号の説明】
【００４２】
１：介護おむつ用補助シート，２：シート本体部，２ｓ：シート本体部の肌接触面，２ｎ：非接触面，２ｎｆ：非接触面の前端辺，２ｎｒ：非接触面の後端辺，２ｐ：シート本体部の左端辺，２ｑ：シート本体部の右端辺，３：ゴム糸，４：スリット，５ｆ：前接着部，５ｒ：後接着部，１１：天然繊維糸，２０：介護おむつ，２０ｉ：介護おむつの内面，Ｈ：使用者，Ｈｈ：使用者の尻部，Ｓｃ：シート材，Ｃ：不織布，Ｆｗ：左右方向，Ｆｓ：前後方向，Ｊ１…：縫付部，Ｊ１：内縫付部，Ｊ２：内縫付部，ＪＰ：外縫付部，ＪＱ：外縫付部，Ｘｃ：左右方向中央位置，Ｘｓ：スリットの位置，Ｌｐ：縫付部の間隔，Ｌｓ：スリットの長さ，Ｌｃ：所定幅，Ｅ：排泄物
【図１】
2015231424.tif 000003
【図２】
2015231424.tif 000004
【図３】
2015231424.tif 000005
【図４】
2015231424.tif 000006
【図５】
2015231424.tif 000007
【図６】
2015231424.tif 000008
【図７】
2015231424.tif 000009